(57)【特許請求の範囲】
【請求項１】
一方に電話機とデータ端末とが接続され、他方にＬＡＮを経由し通話装置を有するＬＡＮ端末が接続された回線接続装置であって、
前記電話機と前記ＬＡＮ端末の通話装置との通話データを仲介する通話データインターフェースと、
前記電話機と前記データ端末とを対応させる対応テーブルと、
前記データ端末と前記ＬＡＮ端末との間の非通話データを仲介する非通話データインターフェースと、
前記電話機からの選択信号を識別する識別手段と、
前記ＬＡＮからのデータが通話データである場合には、前記通話データインターフェースを介して前記電話機に通話データを送出し、前記ＬＡＮからのデータが非通話データである場合には、前記非通話データインターフェースを介して前記データ端末に非通話データを送出し、前記選択信号を受信したときには選択信号に定義された選択子にしたがって前記通話データインターフェースのみを選択して前記ＬＡＮ端末の通話装置とのみ通話を行うか、または前記通話データインターフェースと非通話データインターフェースとを選択して通話と同時に前記対応テーブルで規定されたデータ端末とＬＡＮ端末との間のデータ通信も行うかを選択する制御手段と、
からなる複合ネットワークにおける回線接続装置。
【請求項２】
前記対応テーブルは、前記電話機の識別番号と前記データ端末の識別番号とを対応付けたものであることを特徴とする請求項１記載の複合ネットワークにおける回線接続装置。
【請求項３】
前記対応テーブルには、更に、データ通信で利用されるアプリケーションが登録され、
前記制御手段は、前記データ端末とのデータ通信が実行されると前記データ端末に関し前記対応テーブルで登録されているアプリケーションを実行する、
ことを特徴とした請求項１又は２に記載の複合ネットワークにおける回線接続装置。
【発明の詳細な説明】
【０００１】
【発明の属する技術分野】
本発明は、ＬＡＮと電話交換網等の複合ネットワーク間の通信方式に適用して有効な技術に関する。
【０００２】
【従来の技術】
最近、ＬＡＮ端末上に音声通信機能（以下、ＩＴ機能という）を持たせるインタネットフォンが普及しはじめている。このようなインタネットフォンと従来の交換回線網に収容される電話機との相互通信制御についてはＩＴＵ勧告Ｈ．３２３プロトコルにおけるゲートウェイ機能によって標準化されている。
【０００３】
ところで、上記のようなＬＡＮに接続されるＩＴ機能端末は、音声通信機能だけでなく、音声通信機能と同時に、複数のアプリケーションのデータ通信も行える仕様となっている。たとえば、ＬＡＮに接続されたＩＴ機能端末同士であれば、音声通話と同時に、ディスプレイ上で表示されているワードプロセッサでのイメージを共有することも可能である。このようなＩＴ機能端末同士の画像共有技術はＩＴＵ勧告Ｈ．３２３で規定されるデータ系／画像系情報送受信に関する勧告によって実現可能である。
【０００４】
【発明が解決しようとする課題】
以上のように、ＬＡＮ上でのＩＴ機能端末同士は、データおよび音声も含めた高度な通信が可能であるにもかかわらず、ＩＴ機能端末が一般の回線公衆回線網に接続された電話機と通信を行う場合には、音声のみによる通信しか行われていなかった。
【０００５】
そのため、電話機側の話者がデータ通信が可能なコンピューター端末を所有していたとしても、ＩＴ機能端末との間ではイメージデータ共有等の機能を享受することはできなかった。
【０００６】
本発明はこのような点に鑑みてなされたものであり、電話機側の話者が電話機（公衆回線端末）を用いてＩＴ機能端末と音声通信を行う場合に、ＬＡＮ上のアプリケーションサービス機能を同時に享受することのできる技術を提供することにある。
【０００７】
【課題を解決するための手段】
本発明の第１の手段は、一方に電話機とデータ端末とが接続され、他方にＬＡＮを経由し通話装置を有するＬＡＮ端末が接続された回線接続装置において、前記電話機と前記ＬＡＮ端末の通話装置との通話データを仲介する通話データインターフェースを設け、前記電話機と前記データ端末とを対応させる対応テーブルを設けた。そして、さらに、前記データ端末と前記ＬＡＮ端末との間の非通話データを仲介する非通話データインターフェースを設けるとともに、前記ＬＡＮからのデータが通話データである場合には、前記通話データインターフェースを介して前記電話機に通話データを送出し、前記ＬＡＮからのデータが非通話データである場合には、前記非通話データインターフェースを介して前記データ端末に非通話データを送出するようにした。
【０００８】
このように、通話データである場合には、通話データインターフェースを通じて「電話機」−「ＬＡＮ端末」間での通話を可能にし、非通話データである場合には、非通話データインターフェースを通じて電話機に対応付けられた「データ端末」−「ＬＡＮ端末」間でのデータ通信を可能にした。
【０００９】
このような構成とすることにより、電話機側の話者は、この電話機と対応付けられたデータ端末を用いて、ＬＡＮ端末と同様の感覚でＩＴ端末間で実現されるアプリケーション機能を使うことができる。たとえば、電話機の話者とＬＡＮ端末側のオペレータとの間で同じワードプロセッサの画面を参照しながら図面情報や文字情報に修正を加えるといった作業が可能になる。
【００１０】
本発明の第２の手段は、前記第１の手段において、前記対応テーブルとして、前記電話機の識別番号と前記データ端末の識別番号とを対応付けたものとした。
つまり、電話機とデータ端末とで別個の回線番号が与えられている場合に、当該対応テーブルを参照することによって、「データ端末」−「ＬＡＮ端末」間での回線接続を実現することができる。
【００１１】
本発明の第３の手段は、前記制御手段として、電話機からの選択信号を識別する識別手段を備えた構成とし、この識別手段を用いて、選択信号を識別することにより、ＬＡＮ端末の通話装置と音声通話のみを行うか、あるいはデータ通信も行うかを選択できるようにした。ここでの選択信号とは、たとえば電話番号の後に特番として”０＃”を付加するようなものでよい。
【００１２】
【発明の実施の形態】
【００１３】
【実施例１】
本発明の実施例を図に基づいて説明する。
図１は、本発明のシステム構成を示している。図中において、１は電話機、２，３はパーソナルコンピュータで構成されるデータ端末、４は交換装置である。前記電話機１とデータ端末２とはそれぞれ電番が付与されており、たとえば、電話機１は”２０００”、データ端末２は”４０００”が付与されているものとする。
【００１４】
交換装置４は、ＬＡＮと接続するためのネットワーク機能部７を有しており、このネットワーク機能部７は、交換装置４との回線交換を行う回線交換制御部８、ＬＡＮのパケットと回線情報との変換を行うパケット情報／回線情報変換制御部９、Ｈ３２３プロトコル制御部、およびＬＡＮプロトコル制御部１３を有している。
【００１５】
これらの機能を収容することにより、ネットワーク機能部７は、ＬＡＮと公衆回線網との相互接続を可能にしている。
ＬＡＮ１４には、複数のＬＡＮ端末１５〜１８が接続されている。このうちＬＡＮ端末１７および１８は、アプリケーションサーバとして機能し、ＬＡＮ端末間におけるデータ共有やチャット等が実現されている。また、図示していないがＬＡＮ端末１５等にはヘッドセット、または送受話器等の通話装置を有しており、端末単体で音声データの入力および出力が可能となっている。したがって、ＬＡＮ端末同士の間では、オペレータ（話者）はこの通話装置を通じて会話が可能となっている。
【００１６】
呼制御部５は、交換装置４とネットワーク機能部７とを制御する機能を有しており、対応テーブル２０を備えている。この対応テーブル２０は、別途接続された主記憶装置６上に設定されていてもよい。
【００１７】
呼制御部５の機能をさらに詳述したものが図２である。
図２において、ＳＥＴＵＰ解析部２１は、ＬＡＮ端末１５から電番”２０００”に対するセットアップメッセージを受信した場合、対応テーブル２０を参照して電話機１とデータ端末２への呼も同時に設定する機能を有している。
【００１８】
対応テーブル２０は、図３に示すように、参照キーとなる電話番号と、この電話番号に連携するデータ端末の有無、連携データ端末の電番、および接続アプリケーションが登録されるようになっている。
【００１９】
接続アプリケーションとは、たとえば、チャット（通信会話）アプリケーション、ワードプロセッサ等のアプリケーションプログラムを意味する。これらのアプリケーションサーバ中のプログラムは、本来ＬＡＮ端末同士の通信で実行されるものであるが、本実施形態では、図２に示す構成により、ＬＡＮ端末１５と電話機１およびデータ端末２との間でも使用可能な状態となるものである。
【００２０】
ＳＥＴＵＰ解析部２１は、ＬＡＮ端末１５からの電番”２０００”のセットアップメッセージを解析し、対応テーブル２０を参照することにより、当該電番”２０００”が付与された電話機１には、連携するデータ端末が存在することを認識でき、さらにそのデータ端末の電番は”４０００”であり、端末間で実現されるアプリケーションはチャット機能であることを認識する。
【００２１】
そして、ＳＥＴＵＰ解析部２１は、通話データインターフェースとしての変換部２２および発呼部２４を通じて電話機１を呼び出し、ＬＡＮ端末１５と通話パスを設定する。
【００２２】
前記と同時にＳＥＴＵＰ解析部２１は、非通話インターフェースである変換部２３を通じ、ポート２５を経由してデータ端末２に対してデータ通信パスを設定する。
【００２３】
以上のようにして、ＳＥＴＵＰ解析部２１が特定の呼に対して通話パスとデータ通信パスとを別個に設定することにより、ＬＡＮ端末１５の通話装置からの通話データは、通話パス（変換部２２→発呼部２４）を経由して電話機１に伝送され、アプリケーションデータは、データ通信パス（変換部２３→ポート２５）を通じてデータ端末２に伝送される。これにより、電話機１の話者はデータ端末２を操作しながらＬＡＮ端末１５のオペレータと会話が可能となり、当該会話とチャットによる文字データ通信の双方が可能となる。
【００２４】
【実施例２】
図４は、特番テーブル２０ａを示しており、この特番テーブル２０ａは図１および図２における対応テーブル２０に含まれる。
【００２５】
本実施例では、ＳＥＴＵＰ解析部２１は、対応テーブル２０を参照する際に、特番テーブル２０ａも参照する。
すなわち、対応テーブル２０によって発呼電番が連携するデータ端末を有している場合であっても、特番が付加されていなければデータ通信パス（変換部２３→ポート２５）は設定されない。
【００２６】
たとえば、ＬＡＮ端末１５からの発呼電番が”２０００”のみである場合には、ＳＥＴＵＰ解析部２１は、対応テーブル２０を参照して連携するデータ端末２が存在することを認識していたとしても、通話パス（変換部２２→発呼部２４）のみを設定し、データ通信パス（変換部２３→ポート２５）は設定しない。しかし、ＬＡＮ端末からの発呼電番が特番である”０＃”を付加した”２００００＃”の場合には対応テーブル２０と特番テーブル２０ａとを参照して通話パス（変換部２２→発呼部２４）とデータ通信パス（変換部２３→ポート２５）とを同時に設定する。
【００２７】
【発明の効果】
本発明によれば、ＬＡＮ端末同士で実現されていた複合サービスが、公衆回線を経由した電話機との間でも実現できるため、アプリケーションサーバが提供するサービスを拡大でき、柔軟な回線交換システムを構築することができる。
【図面の簡単な説明】
【図１】  本発明のシステム構成を示すブロック図
【図２】  実施例の呼制御部の機能構成を示すブロック図
【図３】  実施例の対応テーブルを示す説明図
【図４】  実施例の特番テーブルを示す説明図
【符号の説明】
１  電話機
２，３  データ端末
４  交換装置
５  呼制御部
６  主記憶装置
７  ネットワーク機能部
８  回線交換制御部
９  パケット情報／回線情報変換制御部
１０  応用サービス機能制御部
１２  Ｈ３２３プロトコル制御部
１３  ＬＡＮプロトコル制御部
１４  ＬＡＮ
１５〜１８  ＬＡＮ端末
２０  対応テーブル
２０ａ  特番テーブル
２１  ＳＥＴＵＰ解析部
２２、２３  変換部
２４  発呼部
２５  ポート
【図１】
0003892574.tif 000002
【図２】
0003892574.tif 000003
【図３】
0003892574.tif 000004
【図４】
0003892574.tif 000005